(57)【要約】【課題】消費エネルギーを低減させることが可能な情報を表示する冷凍装置（10）を提供して、省エネルギー化の促進を図る。【解決手段】圧縮機（30）に吸入される吸入冷媒、圧縮機（30）から吐出された吐出冷媒、利用側熱交換器（37）に流入する冷媒、及び利用側熱交換器（37）から流出した冷媒のそれぞれについてエンタルピを検出する冷媒状態検出手段（52）と、冷媒状態検出手段（52）が検出する各冷媒のエンタルピに基づいて成績係数を算出する成績係数算出手段（54）と、成績係数算出手段（54）が算出した成績係数を表示する表示手段（62）とを設けて、表示手段（62）で運転中の成績係数を表示する。【選択図】図１
2007278618.tif 000002
【特許請求の範囲】
【請求項１】
圧縮機（30）、熱源側熱交換器（34）、減圧手段（36）、及び利用側熱交換器（37）が設けられて蒸気圧縮冷凍サイクルを行う冷媒回路（20）を備える冷凍装置であって、
上記圧縮機（30）に吸入される吸入冷媒、該圧縮機（30）から吐出された吐出冷媒、上記利用側熱交換器（37）に流入する冷媒、及び該利用側熱交換器（37）から流出した冷媒のそれぞれについてエンタルピを検出する冷媒状態検出手段（52）と、
上記冷媒状態検出手段（52）が検出する各冷媒のエンタルピに基づいて成績係数を算出する成績係数算出手段（54）と、
上記成績係数算出手段（54）が算出した成績係数を表示する表示手段（62）とを備えていることを特徴とする冷凍装置。
【請求項２】
請求項１において、
上記冷媒状態検出手段（52）は、上記圧縮機（30）の吸入冷媒が過熱状態である場合には、吸入冷媒の物理量の実測値に基づいて吸入冷媒のエンタルピを算出する一方、該吸入冷媒が湿り状態である場合には、吸入冷媒及び吐出冷媒の物理量を実測する第１動作と、吸入冷媒が過熱状態になるように運転状態を一時的に変更して吸入冷媒及び吐出冷媒の物理量を実測する第２動作とを行い、該第１動作及び第２動作で得られた実測値に基づいて吸入冷媒のエンタルピを推定することを特徴とする冷凍装置。
【請求項３】
請求項１において、
上記圧縮機（30）の吸入冷媒が過熱状態となる複数の運転状態毎に吸入冷媒及び吐出冷媒の物理量を記憶する記憶手段（53）を備え、
上記冷媒状態検出手段（52）は、該冷媒状態検出手段（52）が吸入冷媒のエンタルピを検出する吸入検出動作において吸入冷媒が過熱状態である場合には、吸入冷媒の物理量の実測値に基づいて吸入冷媒のエンタルピを算出する一方、上記吸入検出動作において吸入冷媒が湿り状態である場合には、上記記憶手段（53）が記憶する吸入冷媒及び吐出冷媒の物理量のうち少なくとも２つの運転状態における値と、該吸入検出動作における吸入冷媒及び吐出冷媒の物理量の実測値とに基づいて、吸入冷媒のエンタルピを推定することを特徴とする冷凍装置。
【請求項４】
請求項１において、
上記冷媒状態検出手段（52）は、該冷媒状態検出手段（52）が吸入冷媒のエンタルピを検出する吸入検出動作において吸入冷媒が過熱状態である場合には、吸入冷媒の物理量の実測値に基づいて吸入冷媒のエンタルピを算出する一方、上記吸入検出動作において吸入冷媒が湿り状態である場合には、該吸入検出動作よりも前の複数の時刻で該冷媒状態検出手段（52）が検出した吐出冷媒のエンタルピに基づいて、吸入冷媒のエンタルピを推定することを特徴とする冷凍装置。
【請求項５】
請求項１において、
上記冷媒状態検出手段（52）は、上記圧縮機（30）の吸入冷媒が過熱状態である場合には、吸入冷媒の物理量の実測値に基づいて吸入冷媒のエンタルピを算出する一方、該吸入冷媒が湿り状態である場合には、少なくとも吸入冷媒に関する物理量を状態量とする状態方程式及び出力方程式からなる推定モデル（65）を用いて吸入冷媒のエンタルピを検出することを特徴とする冷凍装置。
【発明の詳細な説明】
【技術分野】
【０００１】
本発明は、運転中に省エネルギー化を促進するための情報が表示される冷凍装置に関するものである。
【背景技術】
【０００２】
従来より、運転中に省エネルギー化を促進するための情報を表示する表示手段を備える冷凍装置が知られている。この種の冷凍装置では、ユーザーの省エネルギー化に対する意識を高め、消費エネルギーが小さくなるようにユーザーが設定温度や設定風量等を変更することができるように、省エネルギー化を促進するための情報が表示される。この種の冷凍装置の一例が特許文献１に開示されている。
【０００３】
具体的に、特許文献１には、省エネルギー化を促進するための情報として運転中の消費電力を表示する空気調和機が開示されている。この空気調和機は、室内空調ユニットと室外部とを備えており、室内空調ユニットに対して信号の送受信を行うリモコンに消費電力を表示する消費電力表示部が設けられている。この空気調和機では、室外ユニット制御部が圧縮機やファンモータなどの消費電力から空調機の消費電力を算出し、室内ユニット制御部に送信する。室内ユニット制御部は、空調機の消費電力の値をリモコンに送信する。リモコンは、受信した消費電力の値を消費電力表示部に表示する。
【０００４】
また、圧縮機に吸入される冷媒（吸入冷媒）が湿り状態であれば、その吸入冷媒の物理量（例えば温度と圧力）の実測値からエンタルピ又は乾き度を算出することができない。従って、従来より、吸入冷媒のエンタルピを推定する機能を有する冷凍装置が知られており、この種の冷凍装置の一例が特許文献２に開示されている。
【０００５】
具体的に、特許文献２には、吸入冷媒の乾き度が１となる運転状態での吸入冷媒及び吐出冷媒の物理量のマップを用いて、吸入冷媒のエンタルピを推定する冷凍空調装置が開示されている。この冷凍空調装置では、圧縮機の出入口圧力が同じである場合は常に圧縮機の効率が同一である、つまり吸入冷媒と吐出冷媒とのエンタルピ差が同一であると仮定して、吸入冷媒のエンタルピを推定している。
【特許文献１】特開２００２−９８３９６号公報
【特許文献２】特開２００１−２２１５２６号公報
【発明の開示】
【発明が解決しようとする課題】
【０００６】
ところで、一般に冷凍装置では、対象空間を所定の温度に調節するためにユーザーが設定温度や設定風量等の運転条件を設定する際に、瞬時値である消費電力の値が小さくなるように設定しても、消費エネルギーである消費電力量（すなわち電力の時間積分値）が必ずしも最終的に少なくなる訳ではない。例えば、消費電力が大きい運転の方が、消費電力が小さい運転よりも短い時間で対象空間の温度が設定温度に近づくので、設定温度に到達するまでの消費エネルギーが少なくなる場合がある。また、冷凍装置は、設定温度や設定風量等が同じでも、外気の温度や対象空間の負荷によって消費電力の値が異なる。従って、消費電力を目安にして、ユーザーが最終的な消費エネルギーが少なくなるように運転条件を設定することは難しい。
【０００７】
また、冷凍装置では、フィルタの目詰まりの進行や熱交換器の汚れの増加に伴って熱交換量が低下すると、所定の温度に調節するのに要する時間が長くなって消費エネルギーが増加する。しかし、フィルタの目詰まりの進行によってファンの消費電力が増加するものの、冷凍装置全体で見れば消費電力の変化は小さい。従って、ユーザーが消費電力を目安にして、消費エネルギーを増大させるフィルタの目詰まりや熱交換器の汚れの状態を認識することが難しい。
【０００８】
本発明は、かかる点に鑑みてなされたものであり、その目的は、消費エネルギーを低減させることが可能な情報を表示する冷凍装置を提供して、省エネルギー化の促進を図ることである。
【課題を解決するための手段】
【０００９】
第１の発明は、圧縮機（30）、熱源側熱交換器（34）、減圧手段（36）、及び利用側熱交換器（37）が設けられて蒸気圧縮冷凍サイクルを行う冷媒回路（20）を備える冷凍装置（10）を対象とする。そして、この冷凍装置（10）は、上記圧縮機（30）に吸入される吸入冷媒、該圧縮機（30）から吐出された吐出冷媒、上記利用側熱交換器（37）に流入する冷媒、及び該利用側熱交換器（37）から流出した冷媒のそれぞれについてエンタルピを検出する冷媒状態検出手段（52）と、上記冷媒状態検出手段（52）が検出する各冷媒のエンタルピに基づいて成績係数を算出する成績係数算出手段（54）と、上記成績係数算出手段（54）が算出した成績係数を表示する表示手段（62）とを備えている。
【００１０】
第１の発明では、成績係数算出手段（54）が算出した運転中の成績係数が表示手段（62）で表示される。従って、圧縮機（30）で冷媒に加えられた圧縮仕事に対して利用側熱交換器（37）でどの程度熱量が得られているのかを、ユーザーが認識することが可能になる。すなわち、ユーザーが冷凍装置（10）の運転効率を認識することが可能になる。
【００１１】
第２の発明は、第１の発明において、上記冷媒状態検出手段（52）が、上記圧縮機（30）の吸入冷媒が過熱状態である場合には、吸入冷媒の物理量の実測値に基づいて吸入冷媒のエンタルピを算出する一方、該吸入冷媒が湿り状態である場合には、吸入冷媒及び吐出冷媒の物理量を実測する第１動作と、吸入冷媒が過熱状態になるように運転状態を一時的に変更して吸入冷媒及び吐出冷媒の物理量を実測する第２動作とを行い、該第１動作及び第２動作で得られた実測値に基づいて吸入冷媒のエンタルピを推定する。
【００１２】
第２の発明では、冷媒状態検出手段（52）が、圧縮機（30）の吸入冷媒が過熱状態である場合と吸入冷媒が湿り状態である場合とで異なる方法で吸入冷媒のエンタルピを検出する。ここで、吸入冷媒が湿り状態であれば、吸入冷媒の物理量の実測値からは吸入冷媒の乾き度が分からないので、吸入冷媒のエンタルピを算出することができない。従来は、吸入冷媒の乾き度が１となる運転状態での吸入冷媒及び吐出冷媒の物理量のマップを用いて、吸入冷媒のエンタルピを推定していた。これに対して、この第２の発明では、冷媒状態検出手段（52）が、吸入冷媒が湿り状態であれば過熱状態になるように一時的に運転状態を変更する第２動作を行い、該第２動作における吸入冷媒及び吐出冷媒の物理量の実測値を用いて吸入冷媒のエンタルピを推定する。従って、マップを用いる場合とは異なり冷凍装置（10）が経年劣化しても、吸入冷媒が湿り状態である場合の吸入冷媒のエンタルピが正確に推定される。また、この第２の発明では、従来とは異なり、吸入冷媒の乾き度が１となる運転状態や過熱状態となる運転状態における吸入冷媒及び吐出冷媒の物理量のマップを作成する必要がない。
【００１３】
第３の発明は、第１の発明において、上記圧縮機（30）の吸入冷媒が過熱状態となる複数の運転状態毎に吸入冷媒及び吐出冷媒の物理量を記憶する記憶手段（53）を備え、上記冷媒状態検出手段（52）は、該冷媒状態検出手段（52）が吸入冷媒のエンタルピを検出する吸入検出動作において吸入冷媒が過熱状態である場合には、吸入冷媒の物理量の実測値に基づいて吸入冷媒のエンタルピを算出する一方、上記吸入検出動作において吸入冷媒が湿り状態である場合には、上記記憶手段（53）が記憶する吸入冷媒及び吐出冷媒の物理量のうち少なくとも２つの運転状態における値と、該吸入検出動作における吸入冷媒及び吐出冷媒の物理量の実測値とに基づいて、吸入冷媒のエンタルピを推定する。
【００１４】
第３の発明では、上記第２の発明と同様に、冷媒状態検出手段（52）が、圧縮機（30）の吸入冷媒が過熱状態である場合と吸入冷媒が湿り状態である場合とで異なる方法で吸入冷媒のエンタルピを検出する。そして、吸入冷媒が湿り状態である場合には、吸入冷媒のエンタルピが、圧縮機（30）の吸入冷媒が過熱状態となる複数の運転状態のうち少なくとも２つの運転状態についての吸入冷媒及び吐出冷媒の物理量と、該吸入検出動作における吸入冷媒及び吐出冷媒の物理量の実測値とに基づいて推定される。ここで、従来は、圧縮機（30）の出入口の圧力が同じであれば吸入冷媒と吐出冷媒のエンタルピの差が常に等しいと仮定して、１つの運転状態における吸入冷媒及び吐出冷媒の物理量から吸入冷媒のエンタルピを推定していた。しかし、実際には、圧縮機（30）の出入口の圧力が同じであっても、運転状態によっては吸入冷媒と吐出冷媒のエンタルピの差が異なる場合がある。この第３の発明では、少なくとも２つの運転状態についての吸入冷媒及び吐出冷媒の物理量を用いることで、吸入検出動作における吸入冷媒と吐出冷媒のエンタルピの差を推定することが可能になるので、吸入冷媒が湿り状態である場合の吸入冷媒のエンタルピが正確に推定される。
【００１５】
第４の発明は、第１の発明において、上記冷媒状態検出手段（52）は、該冷媒状態検出手段（52）が吸入冷媒のエンタルピを検出する吸入検出動作において吸入冷媒が過熱状態である場合には、吸入冷媒の物理量の実測値に基づいて吸入冷媒のエンタルピを算出する一方、上記吸入検出動作において吸入冷媒が湿り状態である場合には、該吸入検出動作よりも前の複数の時刻で該冷媒状態検出手段（52）が検出した吐出冷媒のエンタルピに基づいて、吸入冷媒のエンタルピを推定する。
【００１６】
第４の発明では、上記第２、第３の発明と同様に、冷媒状態検出手段（52）が、圧縮機（30）の吸入冷媒が過熱状態である場合と吸入冷媒が湿り状態である場合とで異なる方法で吸入冷媒のエンタルピを検出する。そして、吸入冷媒が湿り状態である場合には、吸入冷媒のエンタルピが、吸入検出動作よりも前の複数の時刻で該冷媒状態検出手段（52）が検出した吐出冷媒のエンタルピに基づいて推定される。吸入冷媒のエンタルピは、吐出冷媒のエンタルピと相関関係があるものである。従って、運転中における吸入検出動作よりも前の複数の時刻における吐出冷媒のエンタルピを用いることで、冷凍装置（10）が経年劣化しても、吸入冷媒のエンタルピを正確に推定することが可能である。
【００１７】
第５の発明は、第１の発明において、上記冷媒状態検出手段（52）は、上記圧縮機（30）の吸入冷媒が過熱状態である場合には、吸入冷媒の物理量の実測値に基づいて吸入冷媒のエンタルピを算出する一方、該吸入冷媒が湿り状態である場合には、少なくとも吸入冷媒に関する物理量を状態量とする状態方程式及び出力方程式からなる推定モデル（65）を用いて吸入冷媒のエンタルピを検出する。
【００１８】
第５の発明では、上記第２、第３、第４の発明と同様に、冷媒状態検出手段（52）が、圧縮機（30）の吸入冷媒が過熱状態である場合と吸入冷媒が湿り状態である場合とで異なる方法で吸入冷媒のエンタルピを検出する。そして、吸入冷媒が湿り状態である場合には、吸入冷媒のエンタルピが、少なくとも吸入冷媒に関する物理量を状態量とする状態方程式及び出力方程式からなる推定モデル（65）を用いて推定される。ここで、状態方程式及び出力方程式からなる推定モデル（65）では、計測可能な物理量から算出できない物理量を状態量としても、例えば計測可能な物理量を推定モデル（65）の出力としてその出力を実測値と比較することで、計測可能な物理量から算出できない物理量を正確に推定することが可能である。従って、吸入冷媒が湿り状態である場合の吸入冷媒のエンタルピは、計測可能な物理量から算出することができないが、吸入冷媒に関する物理量を状態量とする推定モデル（65）を用いることでその値が正確に推定される。
【発明の効果】
【００１９】
本発明では、表示手段（62）が成績係数を表示することで、ユーザーが冷凍装置（10）の運転効率を認識することができるようにしている。従って、ユーザーが冷凍装置（10）の運転条件を運転効率が高い設定にすることが可能になるので、運転効率が比較的高い状態で冷凍装置（10）を運転することができる。また、本発明で表示される成績係数は、フィルタの目詰まりの進行や熱交換器（34,37）の汚れの増加に伴ってその値が変化するものである。従って、成績係数を目安にすれば、消費エネルギーを増大させるフィルタの目詰まりや熱交換器（34,37）の汚れの状態をユーザーが認識することが可能になる。従って、運転効率が比較的高い状態で冷凍装置（10）を運転することができ、フィルタの目詰まりや熱交換器（34,37）の汚れによる消費エネルギーの増大を抑制することができるので、冷凍装置（10）の消費エネルギーを低減させることができ、省エネルギー化を促進することができる。
【００２０】
また、第２の発明では、吸入冷媒が湿り状態であれば過熱状態になるように一時的に運転状態を変更する第２動作を行い、該第２動作における吸入冷媒及び吐出冷媒の物理量の実測値を用いることで、冷凍装置（10）が経年劣化しても、吸入冷媒が湿り状態である場合の吸入冷媒のエンタルピが正確に推定されるようにしている。従って、表示手段（62）が表示する成績係数が常に正確な値になるので、ユーザーは常に正確な成績係数の値を認識することができる。
【００２１】
また、第３の発明では、少なくとも２つの運転状態についての吸入冷媒及び吐出冷媒の物理量を用いることで、吸入冷媒が湿り状態である場合の吸入冷媒のエンタルピが正確に推定されるようにしている。従って、表示手段（62）が表示する成績係数がより正確な値になるので、ユーザーが正確な成績係数の値を認識することができる。
【００２２】
また、第４の発明では、吸入検出動作よりも前の複数の時刻で該冷媒状態検出手段（52）が検出した吐出冷媒のエンタルピを用いることで、冷凍装置（10）が経年劣化しても、吸入冷媒が湿り状態である場合の吸入冷媒のエンタルピが正確に推定されるようにしている。従って、表示手段（62）が表示する成績係数がより正確な値になるので、ユーザーが正確な成績係数の値を認識することができる。
【００２３】
また、第５の発明では、少なくとも吸入冷媒に関する物理量を状態量とする状態方程式及び出力方程式からなる推定モデル（65）を用いることで、吸入冷媒が湿り状態である場合の吸入冷媒のエンタルピが正確に推定されるようにしている。従って、表示手段（62）が表示する成績係数がより正確な値になるので、ユーザーが正確な成績係数の値を認識することができる。
【発明を実施するための最良の形態】
【００２４】
以下、本発明の実施形態を図面に基づいて詳細に説明する。
【００２５】
《発明の実施形態１》
本発明の実施形態１について説明する。
【００２６】
−冷凍装置の構成−
図１は、この実施形態１に係る冷凍装置（1）の概略構成図である。この冷凍装置（1）は、室外ユニット（11）と室内ユニット（13）とを備える空気調和装置であって、冷房運転と暖房運転とを切り換え可能に構成されている。
【００２７】
室外ユニット（11）内には、室外回路（21）が設けられている。室内ユニット（13）内には、室内回路（22）が設けられている。この冷凍装置（1）では、室外回路（21）と室内回路（22）とを液側連絡配管（23）及びガス側連絡配管（24）で接続することによって蒸気圧縮冷凍サイクルを行う冷媒回路（20）が構成されている。
【００２８】
また、この冷凍装置（1）は、電源のオン／オフ、冷房運転と暖房運転の切り換え、設定温度や設定風量などの設定を行うための操作部（61）と、運転中の成績係数（ＣＯＰ）を表示する表示手段としての表示部（62）とが設けられたリモコン（60）を備えている。このリモコン（60）は、室内ユニット（13）内の制御部（50）に対して信号を送受信可能に構成されている。
【００２９】
《室外ユニット》
室外ユニット（11）の室外回路（21）には、圧縮機（30）、四路切換弁（33）、熱源側熱交換器である室外熱交換器（34）、及び減圧手段である膨張弁（36）が設けられている。室外回路（21）の一端には、液側連絡配管（23）が接続される液側閉鎖弁（25）が設けられている。室外回路（21）の他端には、ガス側連絡配管（24）が接続されるガス側閉鎖弁（26）が設けられている。
【００３０】
圧縮機（30）は、密閉型で高圧ドーム型の圧縮機として構成されている。圧縮機（30）の吐出側は、吐出管（40）を介して四路切換弁（33）の第１ポート（P1）に接続されている。圧縮機（30）の吸入側は、吸入管（41）を介して四路切換弁（33）の第３ポート（P3）に接続されている。
【００３１】
室外熱交換器（34）は、クロスフィン式のフィン・アンド・チューブ型熱交換器として構成されている。この室外熱交換器（34）の近傍には、室外ファン（12）が設けられている。この室外熱交換器（34）では、室外ファン（12）によって送られる室外空気と流通する冷媒との間で熱交換が行われる。室外熱交換器（34）の一端は、四路切換弁（33）の第４ポート（P4）に接続されている。室外熱交換器（34）の他端は、液配管（42）を介して液側閉鎖弁（25）に接続されている。液配管（42）には、電子膨張弁で構成された膨張弁（36）が設けられている。また、四路切換弁（33）の第２ポート（P2）はガス側閉鎖弁（26）に接続されている。
【００３２】
四路切換弁（33）は、第１ポート（P1）と第２ポート（P2）が互いに連通して第３ポート（P3）と第４ポート（P4）が互いに連通する第１状態（図１に実線で示す状態）と、第１ポート（P1）と第４ポート（P4）が互いに連通して第２ポート（P2）と第３ポート（P3）が互いに連通する第２状態（図１に破線で示す状態）とが切り換え可能となっている。
【００３３】
室外回路（21）には、圧縮機（30）の一端側と他端側に温度センサ（45）及び圧力センサ（46）が１組ずつ設けられている。具体的に、吸入管（41）には、一対の吸入温度センサ（45a）及び吸入圧力センサ（46a）が設けられている。吐出管（40）には、一対の吐出温度センサ（45b）及び吐出圧力センサ（46b）が設けられている。室外ファン（12）の近傍には、外気温度センサ（18）が設けられている。
【００３４】
《室内ユニット》
室内ユニット（13）の室内回路（22）には、利用側熱交換器である室内熱交換器（37）が設けられている。室内熱交換器（37）は、クロスフィン式のフィン・アンド・チューブ型熱交換器として構成されている。この室内熱交換器（37）の近傍には、室内ファン（14）が設けられている。この室内熱交換器（37）では、室内ファン（14）によって送られる室内空気と流通する冷媒との間で熱交換が行われる。
【００３５】
室内回路（22）には、室内熱交換器（37）の一端側と他端側に温度センサ（45）及び圧力センサ（46）が１組ずつ設けられている。具体的に、室内回路（22）の液側端と室内熱交換器（37）との間には、一対の室内液温度センサ（45c）及び室内液圧力センサ（46c）が設けられている。室内熱交換器（37）と室内回路（22）のガス側端との間には、一対の室内ガス温度センサ（45d）及び室内液圧力センサ（46d）が設けられている。室内ファン（14）の近傍には、室内温度センサ（19）が設けられている。
【００３６】
《制御部》
この冷凍装置（1）は、空調能力を調節するために圧縮機（30）の運転容量や膨張弁（36）の開度を制御すると共に、運転中の成績係数（ＣＯＰ）を算出する成績係数算出動作を行う制御部（50）を備えている。この制御部（50）は、室内ユニット（13）内に設けられており、冷媒状態判定部（51）と、冷媒状態検出手段である冷媒状態検出部（52）と、成績係数算出手段である成績係数算出部（54）と、成績係数送信部（55）とを備えている。制御部（50）は、例えば所定の時間間隔で成績係数算出動作を行うように構成されている。
【００３７】
冷媒状態判定部（51）は、吸入温度センサ（45a）及び吸入圧力センサ（46a）の測定値に基づいて、圧縮機（30）に吸入される吸入冷媒が過熱状態であるか湿り状態であるかを判定するように構成されている。冷媒状態検出部（52）は、圧縮機（30）に吸入される吸入冷媒、圧縮機（30）から吐出された吐出冷媒、室内熱交換器（37）に流入する冷媒、及び室内熱交換器（37）から流出した冷媒のそれぞれについてエンタルピ（h1,h2,h3,h4）を検出するように構成されている。
【００３８】
具体的に、冷媒状態検出部（52）は、吸入冷媒が過熱状態であると冷媒状態判定部（51）が判定する場合の吸入冷媒のエンタルピ（h1）を吸入冷媒の物理量である温度と圧力の実測値から算出する。吸入冷媒の温度と圧力の実測値としては、吸入温度センサ（45a）及び吸入圧力センサ（46a）の測定値が用いられる。また、冷媒状態検出部（52）は、吸入冷媒が湿り状態であると冷媒状態判定部（51）が判定する場合の吸入冷媒のエンタルピ（h1）を、図２のブロック図に示す推定モデル（65）を用いて推定する。推定モデル（65）は、いわゆる状態観測器であって、状態方程式と出力方程式とから構成され、圧縮機（30）の動特性を表すモデルとして構築されている。冷媒状態検出部（52）は、制御対象（64）の出力（実際のセンサの測定値）と推定モデル（65）の出力との差から算出したフィードバック量を推定モデル（65）の状態方程式に適用して、吸入冷媒のエンタルピ（h1）を推定するように構成されている。
【００３９】
また、冷媒状態検出部（52）は、冷媒状態判定部（51）が吸入冷媒が過熱状態であると判定しても湿り状態であると判定しても、吐出冷媒のエンタルピ（h2）、室内熱交換器（37）に流入する冷媒のエンタルピ（h3）、及び室内熱交換器（37）から流出した冷媒のエンタルピ（h4）を、各冷媒の物理量である温度と圧力の実測値から算出する。各冷媒の温度と圧力の実測値としては、対になった温度センサ（45）及び圧力センサ（46）の測定値が用いられる。
【００４０】
成績係数算出部（54）は、冷媒状態検出部（52）が検出する吸入冷媒のエンタルピ（h1）、吐出冷媒のエンタルピ（h2）、室内熱交換器（37）に流入する冷媒のエンタルピ（h3）、及び室内熱交換器（37）から流出した冷媒のエンタルピ（h4）に基づいての成績係数を算出する。成績係数算出部（54）は、冷房運転中は冷凍サイクルの成績係数（ＣＯＰC）を算出し、暖房運転中はヒートポンプサイクルの成績係数（ＣＯＰh）を算出する。なお、冷凍サイクルの成績係数（ＣＯＰC）及びヒートポンプサイクルの成績係数（ＣＯＰh）は以下の式により算出される。
【００４１】
ＣＯＰC＝（h4−h3）／（h2−h1）
ＣＯＰh＝（h3−h4）／（h2−h1）
成績係数送信部（55）は、成績係数算出部（54）が算出した成績係数の値をリモコン（60）に送信する。制御部（50）の動作についての詳細は後述する。
【００４２】
−冷凍装置の運転動作−
次に、冷凍装置（10）の運転動作について説明する。この冷凍装置（10）は、冷房運転と暖房運転とが実行可能になっており、四路切換弁（33）によって運転の切り換えが行われる。
【００４３】
<冷房運転>
冷房運転では、四路切換弁（33）が第２状態に設定される。そして、この状態で圧縮機（30）を運転すると、冷媒回路（20）では室外熱交換器（34）が凝縮器となって室内熱交換器（37）が蒸発器となる蒸気圧縮冷凍サイクルが行われる。なお、冷房運転では、膨張弁（36）の開度が適宜調節される。
【００４４】
具体的に、圧縮機（30）から吐出された冷媒は、室外熱交換器（34）で室外空気と熱交換して凝縮する。室外熱交換器（34）で凝縮した冷媒は、膨張弁（36）を通過する際に減圧され、その後に室内熱交換器（37）で室内空気と熱交換して蒸発する。室内熱交換器（37）で蒸発した冷媒は、圧縮機（30）へ吸入されて圧縮される。
【００４５】
<暖房運転>
暖房運転では、四路切換弁（33）が第１状態に設定される。そして、この状態で圧縮機（30）を運転すると、冷媒回路（20）では室外熱交換器（34）が蒸発器となって室内熱交換器（37）が凝縮器となる蒸気圧縮冷凍サイクルが行われる。なお、暖房運転においても、膨張弁（36）の開度が適宜調節される。
【００４６】
具体的に、圧縮機（30）から吐出された冷媒は、室内熱交換器（37）で室内空気と熱交換して凝縮する。室内熱交換器（37）で凝縮した冷媒は、膨張弁（36）を通過する際に減圧され、その後に室外熱交換器（34）で室外空気と熱交換して蒸発する。室外熱交換器（34）で蒸発した冷媒は、圧縮機（30）へ吸入されて圧縮される。
【００４７】
−制御部の動作−
制御部（50）の動作のうち、運転中の成績係数（ＣＯＰ）を算出する成績係数算出動作について説明する。成績係数算出動作は、所定の時間間隔で行われる。成績係数算出動作では、まず冷媒状態判定部（51）が吸入冷媒の状態を判定し、その判定後に冷媒状態検出部（52）が成績係数を算出するために必要となる冷媒のエンタルピ（h1,h2,h3,h4）を検出する。そして、冷媒のエンタルピ（h1,h2,h3,h4）の検出が終了すると、成績係数算出部（54）が成績係数を算定する。以下に成績係数算出動作の内容について詳細に説明する。
【００４８】
まず、冷媒状態判定部（51）は、吸入温度センサ（45a）及び吸入圧力センサ（46a）の測定値に基づいて、圧縮機（30）に吸入される吸入冷媒が過熱状態であるか湿り状態であるかを判定する。そして、過熱状態であるか湿り状態であるかの判定が行われると、冷媒状態検出部（52）が、吸入冷媒のエンタルピ（h1）、吐出冷媒のエンタルピ（h2）、室内熱交換器（37）に流入する冷媒のエンタルピ（h3）、及び室内熱交換器（37）から流出した冷媒のエンタルピ（h4）を検出する。
【００４９】
冷媒状態検出部（52）の動作は、冷媒状態判定部（51）が吸入冷媒が過熱状態であると判定する場合と、湿り状態であると判定する場合とで異なっている。以下では、まず吸入冷媒が過熱状態であると冷媒状態判定部（51）が判定する場合の冷媒状態検出部（52）の動作について説明する。
【００５０】
冷媒状態検出部（52）は、吸入温度センサ（45a）及び吸入圧力センサ（46a）の測定値に基づいて吸入冷媒のエンタルピ（h1）を算出する。冷媒状態検出部（52）は、吐出温度センサ（45b）及び吐出圧力センサ（46b）の測定値に基づいて吐出冷媒のエンタルピ（h2）を算出する。冷媒状態検出部（52）は、冷房運転では、室内液温度センサ（45c）及び室内液圧力センサ（46c）の測定値に基づいて室内熱交換器（37）に流入する冷媒のエンタルピ（h3）を算出し、室内ガス温度センサ（45d）及び室内液圧力センサ（46d）の測定値に基づいて室内熱交換器（37）から流出した冷媒のエンタルピ（h4）を算出する。冷媒状態検出部（52）は、暖房運転では、室内ガス温度センサ（45d）及び室内液圧力センサ（46d）の測定値に基づいて室内熱交換器（37）に流入する冷媒のエンタルピ（h3）を算出し、室内液温度センサ（45c）及び室内液圧力センサ（46c）の測定値に基づいて室内熱交換器（37）から流出した冷媒のエンタルピ（h4）を算出する。
【００５１】
次に吸入冷媒が湿り状態であると冷媒状態判定部（51）が判定する場合の冷媒状態検出部（52）の動作について説明する。
【００５２】
冷媒状態検出部（52）は、吸入冷媒が過熱状態であると冷媒状態判定部（51）が判定する場合と同様に、吐出冷媒のエンタルピ（h2）、室内熱交換器（37）に流入する冷媒のエンタルピ（h3）、及び室内熱交換器（37）から流出した冷媒のエンタルピ（h4）を算出する。
【００５３】
続いて、冷媒状態検出部（52）は、図２のブロック図に示す推定モデル（65）を用いて吸入冷媒のエンタルピ（h1）を検出する。推定モデル（65）は、以下に示す式１の状態方程式と式２の出力方程式とから構成されている。
【００５４】
式１：xm'(t)＝A×xm(t)＋B×u(t)
式２：ym(t)＝C×xm(t)
式３：xm(t)T＝［Mg,Ml,…］
上記式１において、xm(t)は状態変数、xm'(t)は状態変数xm(t)を時間微分したもの、u(t)は入力をそれぞれ表している。また、AとBは共に係数行列を表している。上記式２において、ym(t)は出力、Cは係数行列をそれぞれ表している。
【００５５】
状態変数xm(t)は、上記式３に示すように、圧縮機（30）のドーム内の冷媒のガス量(Mg)や液量(Ml)などの状態量を成分とする行列で表される。なお、xm(t)Tは、xm(t)の転置行列である。圧縮機（30）のドーム内の冷媒のガス量(Mg)と液量(Ml)は、吸入冷媒に関する物理量を構成しており、その増減量からは吸入冷媒のガス量と液量が算出される。入力u(t)は、圧縮機（30）の運転周波数(f)で表される。出力ym(t)は、吐出冷媒の温度及び圧力を成分とする行列で表される。
【００５６】
係数行列Aの成分や係数行列Bの成分は、吸入温度センサ（45a）及び吸入圧力センサ（46a）から検出される吸入冷媒の温度及び圧力と、吐出温度センサ（45b）及び吐出圧力センサ（46b）から検出される吐出冷媒の温度及び圧力とに基づいて決定される。係数行列Aの成分や係数行列Bの成分は、運転中に入力u(t)と出力ym(t)を用いて自動調節される。この自動調節では、例えば逐次更新型の最小二乗法が用いられる。なお、係数行列Aの成分や係数行列Bの成分は、この冷凍装置（1）の冷媒回路（20）における蒸気圧縮冷凍サイクルの特性に適合するように設定された定数としてもよい。
【００５７】
冷媒状態検出部（52）は、圧縮機（30）の運転周波数(f)から決定した入力u(t)を推定モデル（65）に与えることによって、吐出冷媒の温度及び圧力の推定値を成分とする出力ym(t)を算出する。冷媒状態検出部（52）は、制御対象（64）の出力(y)として、吐出温度センサ（45b）及び吐出圧力センサ（46b）から吐出冷媒の温度及び圧力を検出する。そして、冷媒状態検出部（52）は、以下の式４を用いて、制御対象（64）の出力(y)と推定モデル（65）の出力ym(t)とからフィードバック量(Ｆ)を求める。
【００５８】
式４：Ｆ＝Ｋ×（y−ym(t)）
上記式４において、Ｆはフィードバック量、Ｋはフィードバック係数行列、yは制御対象（64）の出力をそれぞれ表している。冷媒状態検出部（52）は、Ｋを適宜決定することにより、状態変数xm(t)が制御対象（64）の状態変数x(t)に収束するフィードバック量(Ｆ)を求める。
【００５９】
冷媒状態検出部（52）は、このフィードバック量(Ｆ)と入力u(t)と前回の成績係数算出動作における状態変数xm(t)とを用いて、以下の式５から状態変数xm(t)の時間微分であるxm'(t)を求める。
【００６０】
式５：xm'(t)＝A×xm(t)＋B×u(t)＋Ｆ
冷媒状態検出部（52）は、求めたxm'(t)を積分して今回の成績係数算出動作における状態変数xm(t)を求め、前回の成績係数算出動作における状態変数xm(t)との差から状態変数(t)の増減量を算出する。そして、冷媒状態検出部（52）は、状態変数xm(t)の成分である圧縮機（30）のドーム内の冷媒のガス量(Mg)及び液量(Ml)の増減量から、吸入冷媒のガス量と液量とを算出し、吸入冷媒のエンタルピー(h1)を推定する。
【００６１】
冷媒状態検出部（52）で冷媒のエンタルピ（h1,h2,h3,h4）が検出されると、これらの冷媒のエンタルピ（h1,h2,h3,h4）に基づいて、成績係数算出部（54）が成績係数を算出する。成績係数算出部（54）で算出された成績係数の値は、成績係数送信部（55）に入力される。成績係数送信部（55）は、成績係数算出部（54）から入力された成績係数の値をリモコン（60）に送信する。リモコン（57）は、表示部（62）の数値を成績係数送信部（55）から受信した成績計数の値に更新する。これにより、ユーザーは、運転中の成績係数を認識することが可能になる。
【００６２】
−実施形態１の効果−
本実施形態１では、表示部（62）が成績係数を表示することで、ユーザーが冷凍装置（10）の運転効率を認識することができるようにしている。従って、ユーザーが冷凍装置（10）の運転条件を運転効率が高い設定にすることが可能になるので、運転効率が比較的高い状態で冷凍装置（10）を運転することができる。また、本発明で表示される成績係数は、フィルタの目詰まりの進行や熱交換器（34,37）の汚れの増加に伴ってその値が変化するものである。従って、成績係数を目安にすれば、消費エネルギーを増大させるフィルタの目詰まりや熱交換器（34,37）の汚れの状態をユーザーが認識することが可能になる。従って、運転効率が比較的高い状態で冷凍装置（10）を運転することができ、フィルタの目詰まりや熱交換器（34,37）の汚れによる消費エネルギーの増大を抑制することができるので、冷凍装置（10）の消費エネルギーを低減させることができ、省エネルギー化を促進することができる。
【００６３】
また、本実施形態１では、吸入冷媒が湿り状態である場合における吸入冷媒のエンタルピ（h1）の推定に、圧縮機（30）のドーム内の冷媒のガス量(Mg)や液量(Ml)を状態量とする状態方程式及び出力方程式からなる推定モデル（65）が用いられている。そして、推定モデル（65）の状態変数xm(t)を制御対象（64）の状態変数x(t)に収束させるために、制御対象（64）の出力y(t)と推定モデル（65）の出力ym(t)との差から算出したフィードバック量を状態方程式に適用することで、吸入冷媒が湿り状態である場合の吸入冷媒のエンタルピ（h1）が正確に推定されるようにしている。従って、表示部（62）が表示する成績係数がより正確な値になるので、ユーザーが正確な成績係数の値を認識することができる。
【００６４】
−実施形態１の変形例−
実施形態１の変形例について説明する。この変形例では、推定モデル（65）が、冷媒回路（20）における蒸気圧縮冷凍サイクルの動特性を表すモデルとして構築されている。
【００６５】
この冷凍装置（10）の室外回路（21）には、膨張弁（36）の一端側と他端側にそれぞれ一対の温度センサ（45）及び圧力センサ（46）が設けられている（図示省略）。そして、推定モデル（65）では、吸入冷媒のエンタルピに加えて、吐出冷媒の温度及び圧力、吸入冷媒の温度及び圧力、膨張弁（36）に流入する冷媒の温度及び圧力、膨張弁（36）から流出した冷媒の温度及び圧力などの物理量が状態量として用いられる。推定モデル（65）の出力には、上記実施形態と同様に、センサ等により検出可能な物理量が用いられる。
【００６６】
《発明の実施形態２》
本発明の実施形態２について説明する。この実施形態２に係る冷凍装置（1）は、吸入冷媒が湿り状態であると冷媒状態判定部（51）が判定する場合に、冷媒状態検出部（52）が吸入冷媒のエンタルピ（h1）を検出する動作が実施形態１とは異なっている。以下に実施形態１とは異なる点について説明する。
【００６７】
《制御部》
実施形態２の制御部（50）は、冷媒状態判定部（51）と冷媒状態検出部（52）と成績係数算出部（54）と成績係数送信部（55）に加えて、記憶手段である冷媒状態記憶部（53）を備えている（図示省略）。
【００６８】
この冷媒状態記憶部（53）は、吸入冷媒が過熱状態であると冷媒状態判定部（51）が判定している間の成績係数算出動作における吸入冷媒及び吐出冷媒の物理量を、成績係数算出動作の度に記憶するように構成されている。吸入冷媒及び吐出冷媒の物理量としては、冷媒状態検出部（52）が検出する吸入冷媒及び吐出冷媒のエンタルピ（h1,h2）と、吸入圧力センサ（46a）及び吐出圧力センサ（46b）から検出される吸入冷媒及び吐出冷媒の圧力とが記憶される。冷媒状態記憶部（53）では、吸入冷媒及び吐出冷媒の物理量が成績係数算出動作の度に記憶されるので、複数の運転状態毎に吸入冷媒及び吐出冷媒の物理量が記憶されることになる。但し、冷媒状態記憶部（53）は、吸入温度センサ（45a）、吸入圧力センサ（46a）、吐出温度センサ（45b）、及び吐出圧力センサ（46b）の測定値の全てが安定しない状態では、吸入冷媒及び吐出冷媒の物理量を記憶しない。
【００６９】
なお、冷媒状態記憶部（53）が、運転中に吸入冷媒及び吐出冷媒の物理量を記憶するのではなく、予め複数の運転状態毎の吸入冷媒及び吐出冷媒の物理量を記憶しておくようにしてもよい。この場合、複数の運転状態毎の吸入冷媒及び吐出冷媒の物理量のデータは、工場などで行った試験に基づいて作成される。
【００７０】
冷媒状態検出部（52）は、成績係数算出動作中に吸入冷媒のエンタルピ（h1）を検出する吸入検出動作を行うように構成されている。冷媒状態検出部（52）は、吸入検出動作において吸入冷媒が湿り状態であると冷媒状態判定部（51）が判定する場合には、冷媒状態記憶部（53）が記憶する吸入冷媒及び吐出冷媒の物理量（圧力とエンタルピ）のうち少なくとも２つの運転状態における値と、吸入検出動作において吸入圧力センサ（46a）から検出される吸入冷媒の圧力と、吸入検出動作において吐出温度センサ（45b）及び吐出圧力センサ（46b）から検出される吐出冷媒の圧力及びエンタルピ（h2）とに基づいて吸入冷媒のエンタルピ（h1）を検出する。
【００７１】
なお、冷媒状態記憶部（53）が、吸入冷媒及び吐出冷媒の物理量として、吸入温度センサ（45a）及び吐出温度センサ（45b）から検出される吸入冷媒及び吐出冷媒の温度と、吸入圧力センサ（46a）及び吐出圧力センサ（46b）から検出される吸入冷媒及び吐出冷媒の圧力とを記憶するようにしてもよい。この場合、冷媒状態検出部（52）が、吸入検出動作において、冷媒状態記憶部（53）が記憶する２つの運転状態における吸入冷媒及び吐出冷媒の温度及び圧力から、２つの運転状態における吸入冷媒及び吐出冷媒のエンタルピを算出する。
【００７２】
−制御部の動作−
吸入冷媒が湿り状態であると冷媒状態判定部（51）が判定する場合の冷媒状態検出部（52）の吸入検出動作について説明する。なお、吐出冷媒のエンタルピ（h2）、室内熱交換器（37）に流入する冷媒のエンタルピ（h3）、室内熱交換器（37）から流出した冷媒のエンタルピ（h4）、及び吸入冷媒が過熱状態であると冷媒状態判定部（51）が判定する場合の吸入冷媒のエンタルピ（h1）は、上記実施形態１と同様に算出される。
【００７３】
冷媒状態検出部（52）は、冷媒状態記憶部（53）が記憶する吸入冷媒及び吐出冷媒の物理量（圧力とエンタルピ）のうちの２つの運転状態（図３における第１運転状態と第２運転状態）の値と、吸入検出動作における吸入圧力センサ（46a）の測定値と、吸入検出動作において吐出温度センサ（45b）及び吐出圧力センサ（46b）から検出される吐出冷媒の圧力及びエンタルピ（h2）とを用いて吸入冷媒のエンタルピ（h1）を算出する。吸入冷媒のエンタルピ（h1）の算出にあたっては、冷媒状態記憶部（53）が記憶する複数の運転状態毎の吸入冷媒及び吐出冷媒の物理量のうち、吸入冷媒の圧力と吐出冷媒の圧力とが共に吸入検出動作と同じ値もの、又は同じ値のものがなければ近い値のものが用いられる。
【００７４】
冷媒状態記憶部（53）が記憶する吸入冷媒及び吐出冷媒の物理量として、吸入冷媒の圧力と吐出冷媒の圧力とが共に吸入検出動作と同じ値となる運転状態（図３（Ａ)）における物理量を用いる場合は、以下に示す式６を用いて吸入冷媒のエンタルピ（h1）が算出される。
【００７５】
式６：h1＝h1(1)−｛h2(1)−h2｝／｛h2(2)−h2(1)｝×｛h1(2)−h1(1)｝
式６において、h1(1)は第１運転状態における吸入冷媒のエンタルピ、h1(2)は第２運転状態における吸入冷媒のエンタルピ、h2(1)は第１運転状態における吐出冷媒のエンタルピ、h2(2)は第２運転状態における吐出冷媒のエンタルピをそれぞれ表している。この式６は、第１運転状態と第２運転状態における吸入冷媒及び吐出冷媒のエンタルピから外挿によって吸入冷媒のエンタルピ（h1）を求める式である。
【００７６】
従来は、吐出冷媒及び吸入冷媒の圧力が同じであれば吸入冷媒と吐出冷媒のエンタルピの差（h2−h1）が常に等しいものと仮定して、１つの運転状態における吸入冷媒及び吐出冷媒の物理量から吸入冷媒のエンタルピ（h1）を推定していた。しかし、実際には、吐出冷媒及び吸入冷媒の圧力が同じであっても、運転状態によっては吸入冷媒と吐出冷媒のエンタルピの差（h2−h1）が異なる場合がある。この式６によれば、２つの運転状態における吸入冷媒及び吐出冷媒の物理量を用いることで、吸入検出動作における吸入冷媒と吐出冷媒のエンタルピの差（h2−h1）を推定することが可能になるので、吸入冷媒が湿り状態である場合の吸入冷媒のエンタルピ（h1）が正確に推定される。
【００７７】
なお、図３（Ｂ）に示すように、p-h線図上において吐出冷媒の表す点（Ｂ,Ｄ,Ｆ）が概ね一直線上に並ぶ状態であれば、同じように外挿によって吸入冷媒のエンタルピ（h1）を算出することが可能である。
【００７８】
《発明の実施形態３》
本発明の実施形態３について説明する。この実施形態３に係る冷凍装置（1）は、吸入冷媒が湿り状態であると冷媒状態判定部（51）が判定する場合に、冷媒状態検出部（52）が吸入冷媒のエンタルピ（h1）を検出する動作が実施形態１とは異なっている。以下に実施形態１とは異なる点について説明する。
【００７９】
《制御部》
冷媒状態検出部（52）は、吸入冷媒が湿り状態であると冷媒状態判定部（51）が判定する場合には、成績係数算出動作中に第１動作と第２動作と第３動作とを行うように構成されている。
【００８０】
第１動作は、冷媒状態検出部（52）が吸入冷媒及び吐出冷媒の物理量として吸入冷媒の圧力と吐出冷媒の温度及び圧力とを実測する動作である。第２動作は、冷媒状態検出部（52）が吸入冷媒が過熱状態になるように運転状態を一時的に変更して吸入冷媒及び吐出冷媒の物理量として吸入冷媒の温度及び圧力と吐出冷媒の温度及び圧力とを実測する動作である。第２動作において、冷媒状態検出部（52）は、例えば膨張弁（36）の開度を狭めることによって、吸入冷媒が湿り状態から過熱状態になるように運転状態を一時的に変更する。第３動作は、第１動作と第２動作との終了後に行われ、冷媒状態検出部（52）が第１動作及び第２動作で得られた吸入冷媒及び吐出冷媒の実測値に基づいて吸入冷媒のエンタルピ（h1）を推定する動作である。なお、本実施形態３では、第２動作を第１動作の後に行っているが、第１動作の前に行うようにしてもよい。
【００８１】
−制御部の動作−
吸入冷媒が湿り状態であると冷媒状態判定部（51）が判定する場合に、冷媒状態検出部（52）が吸入冷媒のエンタルピ（h1）を検出する動作について説明する。なお、吐出冷媒のエンタルピ（h2）、室内熱交換器（37）に流入する冷媒のエンタルピ（h3）、室内熱交換器（37）から流出した冷媒のエンタルピ（h4）、及び吸入冷媒が過熱状態であると冷媒状態判定部（51）が判定する場合の吸入冷媒のエンタルピ（h1）は、上記実施形態１と同様に算出される。
【００８２】
まず冷媒状態検出部（52）は第１動作を行う。第１動作では、吸入冷媒の圧力が吸入圧力センサ（46a）から測定され、吐出冷媒の温度及び圧力が吐出温度センサ（45b）及び吐出圧力センサ（46b）から測定される。
【００８３】
第１動作が終了すると、冷媒状態検出部（52）は第２動作を行う。第２動作では、吸入冷媒が湿り状態から過熱状態になるように膨張弁（36）の開度が狭められる。そして、吸入冷媒が過熱状態であると冷媒状態判定部（51）が判定する場合と、吸入冷媒の温度及び圧力が吸入温度センサ（45a）及び吸入圧力センサ（46a）から測定され、吐出冷媒の温度及び圧力が吐出温度センサ（45b）及び吐出圧力センサ（46b）から測定される。
【００８４】
第２動作が終了すると、冷媒状態検出部（52）は第３動作を行う。第３動作では、第１動作における吐出冷媒のエンタルピ（h2(1)）が、その第１動作における吐出冷媒の温度及び圧力の実測値から算出される。第２動作における吸入冷媒のエンタルピ（h1(2)）が、その第２動作における吸入冷媒の温度及び圧力の実測値から算出される。第２動作における吐出冷媒のエンタルピ（h2(2)）が、その第２動作における吐出冷媒の温度及び圧力の実測値から算出される。そして、第１動作の吐出冷媒のエンタルピ（h2(1)）、第２動作の吸入冷媒のエンタルピ（h1(2)）、及び吐出冷媒のエンタルピ（h2(2)）が算出されると、冷媒状態検出部（52）は、吸入冷媒が湿り状態である第１動作の吸入冷媒のエンタルピ（h1(1)）を推定する。
【００８５】
例えば、冷媒状態検出部（52）は、図４に示すp-h線図上において、第２動作の吸入冷媒を表す点Ｃと第２動作の吐出冷媒を表す点Ｄとを結ぶ直線ＣＤの傾きを算出する。そして、冷媒状態検出部（52）は、第１動作の吐出冷媒を表す点Ｂを通って傾きが直線ＣＤと等しい直線上において圧力が第１動作の吸入冷媒の圧力に等しい点を、第１動作の吸入冷媒を表す点Ａとして、吸入冷媒のエンタルピ（h1(1)）を推定する。
【００８６】
この実施形態３では、吸入冷媒が湿り状態であれば過熱状態になるように一時的に運転状態を変更する第２動作を行い、該第２動作における吸入冷媒及び吐出冷媒の物理量の実測値を用いることで、冷凍装置（10）が経年劣化しても、吸入冷媒が湿り状態である場合の吸入冷媒のエンタルピ（h1）が正確に推定される。従って、表示部（62）が表示する成績係数が常に正確な値になるので、ユーザーは常に正確な成績係数の値を認識することができる。
【００８７】
なお、冷媒状態検出部（52）は、第２動作において、吸入冷媒が過熱状態になる運転状態が２通りになるように、膨張弁（36）の開度を２段階に調節してもよい。この場合、冷媒状態検出部（52）は、上記実施形態２と同様に、過熱状態となる２つの運転状態における吸入冷媒及び吐出冷媒の物理量と、湿り状態である吸入冷媒及び吐出冷媒の物理量の実測値とに基づいて吸入冷媒のエンタルピ（h1）を推定する。
【００８８】
《発明の実施形態４》
本発明の実施形態４について説明する。この実施形態４に係る冷凍装置（1）は、吸入冷媒が湿り状態であると冷媒状態判定部（51）が判定する場合に、冷媒状態検出部（52）が吸入冷媒のエンタルピ（h1）を検出する動作が実施形態１とは異なっている。以下に実施形態１とは異なる点について説明する。
【００８９】
《制御部》
冷媒状態検出部（52）は、成績係数算出動作中に吸入冷媒のエンタルピ（h1）を検出する吸入検出動作を行うように構成されている。冷媒状態検出部（52）は、吸入検出動作において吸入冷媒が湿り状態であると冷媒状態判定部（51）が判定する場合には、その吸入検出動作よりも前の複数の時刻で該冷媒状態検出手段（52）が検出した吸入冷媒及び吐出冷媒のエンタルピ（h1(t),h2(t)）に基づいて、吸入冷媒のエンタルピ（h1）を推定するように構成されている。冷媒状態検出部（52）は、その吸入検出動作よりも前の複数の時刻で検出した吸入冷媒及び吐出冷媒のエンタルピ（h1(t),h2(t)）を記憶可能に構成されている。
【００９０】
−制御部の動作−
吸入冷媒が湿り状態であると冷媒状態判定部（51）が判定する場合の冷媒状態検出部（52）の吸入検出動作について説明する。なお、吐出冷媒のエンタルピ（h2）、室内熱交換器（37）に流入する冷媒のエンタルピ（h3）、室内熱交換器（37）から流出した冷媒のエンタルピ（h4）、及び吸入冷媒が過熱状態であると冷媒状態判定部（51）が判定する場合の吸入冷媒のエンタルピ（h1）は、上記実施形態１と同様に算出される。
【００９１】
冷媒状態検出部（52）は、以下に示す式７の漸化式を用いて、吸入冷媒が湿り状態であると冷媒状態判定部（51）が判定する場合の吸入冷媒のエンタルピ（h1(n+1)）を推定する。この式７では、今回の吸入検出動作の１つ前から３つ前までの吸入検出動作における各時刻（t＝n,n-1,n-2）の吸入冷媒及び吐出冷媒のエンタルピ（h1(t),h2(t)）が用いられる。なお、式７は、３つ前の吸入検出動作よりもさらに前の吸入検出動作における（h1(t),h2(t)）を用いる漸化式としてもよい。
【００９２】
式７：h1(n+1)＝a0＋a1×h2(n)＋a2×h2(n-1)＋a3×h2(n-2)＋b0＋b1×h1(n)＋b2×h1(n-1)＋b3×h1(n-2)
上記式７において、h1(t)は各時刻（t＝n+1,n,n-1,n-2）の吸入冷媒のエンタルピ、h2(t)は各時刻（）t＝n,n-1,n-2）の吐出冷媒のエンタルピをそれぞれ表している。時刻（t＝n,n-1,n-2）のh1(t)には、各時刻（t＝n,n-1,n-2）において吸入冷媒が過熱状態であると冷媒状態判定部（51）が判定した場合は、吸入温度センサ（45a）及び吸入圧力センサ（46a）から算出した値が用いられる。各時刻（t＝n,n-1,n-2）において吸入冷媒が湿り状態であると冷媒状態判定部（51）が判定した場合は、各時刻（t＝n,n-1,n-2）において上記式７から推定した値が用いられる。
【００９３】
なお、係数ai,bi(i＝0,1,2,3)は、逐次最小二乗法によって算出される。なお、吸入冷媒が湿り運転状態であると冷媒状態判定部（51）が判定する間は、係数ai,biの同定は行わない。
【００９４】
この実施形態４では、吸入検出動作よりも前の複数の時刻（t＝n,n-1,n-2）における吸入冷媒及び吐出冷媒のエンタルピを用いるので、時刻（t＝n+1）での吸入検出動作における吸入冷媒と吐出冷媒とのエンタルピ差が考慮されて、吸入冷媒が湿り状態である場合の吸入冷媒のエンタルピ（h1）を正確に推定することができる。
【００９５】
また、運転中に時々刻々変化する吸入冷媒及び吐出冷媒のエンタルピを使用するので、冷凍装置（10）が経年劣化しても、吸入冷媒が湿り状態である場合の吸入冷媒のエンタルピを正確に推定することができる。
【００９６】
また、吸入冷媒が湿り状態であると冷媒状態判定部（51）が判定する状態が長時間に亘って継続する場合は、h1(t)のほとんどが漸化式による推定値になるので、h1(t)を含まない以下の式８を用いて吸入冷媒のエンタルピh1（n+1）を検出してもよい。この式８は、吐出冷媒のエンタルピに対する吸入冷媒のエンタルピの関係式をテーラー展開した式と等価である。
【００９７】
式８：h1(n+1)＝a0＋a1×h2(n)＋a2×h2(n-1)＋a3×h3(n-2)
《その他の実施形態》
上記実施形態については、以下のような構成としてもよい。
【００９８】
上記実施形態では、成績係数を表示する表示部（62）をリモコン（57）ではなく室内ユニット（13）のパネルに設けるようにしてもよい。
【００９９】
また、上記実施形態について、室内ガス温度センサ（45d）及び室内液圧力センサ（46d）を設けずに、冷房運転における室内熱交換器（37）から流出した冷媒のエンタルピ（h4）を吸入温度センサ（45a）及び吸入圧力センサ（46a）から算出し、暖房運転における室内熱交換器（37）から流出する冷媒のエンタルピ（h4）を吐出温度センサ（45b）及び吐出圧力センサ（46b）から算出するようにしてもよい。
【０１００】
また、上記実施形態について、例えば冷媒の温度とエントロピの関係から冷媒のエントロピを推定した後にその推定したエントロピから、吸入冷媒が湿り状態であると冷媒状態判定部（51）が判定する場合の吸入冷媒のエンタルピ（h1）を算出するようにしてもよい。
【０１０１】
なお、以上の実施形態は、本質的に好ましい例示であって、本発明、その適用物、あるいはその用途の範囲を制限することを意図するものではない。
【産業上の利用可能性】
【０１０２】
以上説明したように、本発明は、運転中に省エネルギー化を促進するための情報が表示される冷凍装置について有用である。
【図面の簡単な説明】
【０１０３】
【図１】本発明の実施形態１に係る冷凍装置の概略構成図である。
【図２】実施形態１の冷凍装置における制御部の冷媒状態検出部の動作を表すブロック図である。
【図３】実施形態２の冷凍装置における冷媒状態検出部が吸入冷媒のエンタルピを算出する方法を説明するためのモリエル線図である。
【図４】実施形態３の冷凍装置における冷媒状態検出部が吸入冷媒のエンタルピを算出する方法を説明するためのモリエル線図である。
【符号の説明】
【０１０４】
10  冷凍装置
20  冷媒回路
30  圧縮機
34  室外熱交換器（熱源側熱交換器）
36  膨張弁（減圧手段）
37  室内熱交換器（利用側熱交換器）
52  冷媒状態検出部（冷媒状態検出手段）
53  冷媒状態記憶部（記憶手段）
54  成績係数算出部（成績係数算出手段）
62  表示部（表示手段）
65  推定モデル
【図１】
2007278618.tif 000003
【図２】
2007278618.tif 000004
【図３】
2007278618.tif 000005
【図４】
2007278618.tif 000006